(57)【要約】      （修正有）【課題】従来のエアーツールに比べ、レバー操作開始時に大きな力が不要で、従来のエアーツールの部品を少し変更するだけで容易に製造でき、しかも、変更する部品の加工も容易なエアーツールを提供する。【解決手段】付勢手段によってエアーツール本体へのエアー供給口を閉鎖するように付勢される球状弁７と、レバー６操作によってスライドし、その先端が付勢手段の付勢力に抗して球状弁をエアー供給口が開放される方向に押圧する弁棒５ａとを備えるエアーツールにおいて、弁棒が、その中心軸がエアー供給口を閉鎖状態の球状弁の中心と一致するようにスライド自在に支持されている弁棒本体５１と、この弁棒本体の先端から突出し、閉鎖状態の球状弁の、弁棒本体の中心軸ＣＬからずれた位置に当接する操作突部５２とを備えている。【選択図】図２
2005212082.tif 000002
【特許請求の範囲】
【請求項１】
付勢手段によってエアーツール本体へのエアー供給口を閉鎖するように付勢される球状弁と、
レバー操作によってスライドし、その先端が前記付勢手段の付勢力に抗して前記球状弁をエアー供給口が開放される方向に押圧する弁棒とを備えるエアーツールにおいて、
前記弁棒が、その中心軸がエアー供給口を閉鎖状態の球状弁の中心と一致するようにスライド自在に支持されている弁棒本体と、
この弁棒本体の先端から突出し、閉鎖状態の球状弁の、弁棒本体の中心軸からずれた位置に当接する操作突部とを備えていることを特徴とするエアーツール。
【発明の詳細な説明】
【技術分野】
【０００１】
本発明は、エアーが供給されることによって駆動部が駆動するようになったエアーツールに関する。
【背景技術】
【０００２】
従来のインパクトレンチ、エアードリル、エアーサンダー等のエアーツールは、図６に示すように、エアーが操作ハンドル１１０部分に設けられたエアー供給口１２０からエアー通路１３０を介してエアーツール本体（図示せず）内に供給されることによって、エアーツール本体（図示せず）内に設けられた駆動部としてのエアーモータがエアーの圧力によって回転し、このエアーモータの回転駆動力が作用部に伝達され、作用部が回転駆動するようになっている（たとえば、特許文献１参照）。
【０００３】
また、このエアーツール１００は、弁座１２２に設けられたエアー供給口１２０が、操作ハンドル１１０に設けられた始動レバー１４０を操作することによって開閉されるようになっている。
すなわち、操作ハンドル１００内のエアー供給口１２０を臨む部分には、球状弁１５０が設けられていて、始動レバー１４０を操作ハンドル１００側に押さない限り、この球状弁１５０が、エアー圧およびコイルバネ１６０の付勢力によってエアー供給口１２０を閉鎖し、エアーがエアーモータ側へ送られないようになっている。一方、始動レバー１４０を操作ハンドル１００側に押し込むと、弁座１２２の弁棒支持孔１２１にスライド自在に支持された円柱状の弁棒１７０がその先端で球状弁１５０を押しながらエアー圧およびコイルバネ１６０の付勢力に抗して弁棒１７０の中心軸方向にスライドし、エアー供給口１２０が開放されてエアーがエアーモータに供給されるようになっている。
【０００４】
しかしながら、上記従来のエアーツール１００の場合、球状弁１５０の中心が弁棒１７０の中心軸上に存在するため、始動レバー１４０の操作開始時には、球状弁１５０にかかるコイルバネ１６０の付勢力と、球状弁１５０にかかるエアー圧のベクトル方向と力の作用点が、弁棒１７０の中心軸に一致する。したがって、始動レバー１４０の始動時に弁棒１７０の先端で球状弁１５０を押圧しようとした場合、球状弁１５０にかかるコイルバネ１６０の付勢力と、球状弁１５０にかかるエアー圧との合計以上の押圧力を弁棒１７０によって球状弁１５０に加えなければならず、エアーツールを何回もオンオフさせなければならない場合、作業者に負担が大きいという問題がある。
【０００５】
そこで、本発明の発明者らは、図７に示すように、弁棒１７０を、その中心軸が、球状弁１５０の中心からずれた位置になるように設けたエアーツール１０１を考えた。すなわち、このエアーツール１０１は、弁棒１７０の中心軸を球状弁１５０の中心からずれた位置にすることによって、始動レバー１４０の始動開始時に弁棒１７０の先端が、球状弁１５０の中心よりずれた位置を押圧するので、球状弁１５０は、弁棒１７０のスライド方向にまっすぐ押されるのではなく、弁棒１７０と反対側のエアー供給口１２０の端縁を支点にして回動しながら押し下げられる。そして、弁棒１７０の先端が球状弁１５０の中心よりも支点から離れた部分を押すため、てこの原理により、球状弁１５０にかかるコイルバネ１６０の付勢力と、球状弁１５０にかかるエアー圧との合計より小さい力で球状弁１５０を押してもエアー供給口１２０を開放することができる。
【０００６】
【特許文献１】実開昭５９−１７１７０号公報
【発明の開示】
【発明が解決しようとする課題】
【０００７】
しかし、上記エアーツール１０１の場合、従来のエアーツール１００のハウジング１８０に着脱自在に設けられた弁座１２２を、弁棒支持孔１２１'の位置がずれた弁座１２２'に交換するだけの簡単な改造で済み、他の部品を共用できるので、上記従来のエアーツール１００の問題点を解消できるとともに、改造コストがあまりかからないと言う利点を備えているが、つぎのような問題があった。
【０００８】
すなわち、弁座１２２'の外形が円柱状をしているとともに、弁棒支持孔１２１'が弁座１２２'の中心軸から偏心しているので、弁棒１７０を始動レバー１４０の所定位置に正確にあたるようにセットするのが難しい。したがって、組み立て作業を慎重に行わなければならず、組み立て作業性に問題がある。また、弁棒支持孔１２１'が偏心して設けられているので弁座１２２'の加工も面倒である。
【０００９】
本発明は、上記事情に鑑みて、従来のエアーツールに比べ、レバー操作開始時に大きな力が不要で、従来のエアーツールの部品を少し変更するだけで容易に製造でき、しかも、変更する部品の加工も容易なエアーツールを提供することを目的としている。
【課題を解決するための手段】
【００１０】
上記目的を達成するために、本発明にかかるエアーツールは、付勢手段によってエアーツール本体へのエアー供給口を閉鎖するように付勢される球状弁と、レバー操作によってスライドし、その先端が前記付勢手段の付勢力に抗して前記球状弁をエアー供給口が開放される方向に押圧する弁棒とを備えるエアーツールにおいて、前記弁棒が、その中心軸がエアー供給口を閉鎖状態の球状弁の中心と一致するようにスライド自在に支持されている弁棒本体と、この弁棒本体の先端から突出し、閉鎖状態の球状弁の、弁棒本体の中心軸からずれた位置に当接する操作突部とを備えていることを特徴としている。
【００１１】
本発明において、エアーツールとしては、特に限定されないが、たとえば、インパクトレンチ、エアードリル、エアーサンダーなどのように駆動部が回転するものや、エアーハンマ、エアー駆動のレシプロソーなどのように駆動部が前後動するもの等が挙げられる。
突起部の形状は、特に限定されないが、球状弁との当接部は、球状弁が傷まないようにアール形状に面取りされていることが好ましい。
球状弁の材質は、特に限定されないが、エアーの遮断性を高めるために樹脂製やゴム製のものが好ましい。
【発明の効果】
【００１２】
本発明にかかるエアーツールは、以上のように、弁棒本体の中心軸上に球状弁の中心がくるようになっているので、弁座等の弁棒支持孔を設けた部品を従来のものと共用して使用できる。すなわち、少なくとも弁棒のみ変更するだけでよく、製造コストが従来のものとほとんど変わらずに製造することができる。
また、弁棒本体がその先端の中心軸からずれた位置に操作突部を備え、レバー操作によって弁棒が弁体方向に押されると、操作突部の先端が球状弁の弁棒の中心軸よりずれた位置を押圧する。したがって、球状弁を小さい力でエアー供給口を開放する方向に移動させることができる。
【発明を実施するための最良の形態】
【００１３】
以下に、本発明を、その実施の形態をあらわす図面を参照しつつ詳しく説明する。
図１〜図３は、本発明にかかるエアーツールの第１の実施の形態をあらわしている。
【００１４】
図１〜図３に示すように、このエアーツールとしてのインパクトレンチＡは、エアーツール本体としてのレンチ本体１と、操作ハンドル２とを備えている。
レンチ本体１は、従来のインパクトレンチと同様に、ハウジング３内にエアーモータ１１を有し、エアーモータ１１が回転駆動することによって、作用部であるアンビル１２が図示していないドライバの打撃によって回転駆動するようになっている。
【００１５】
操作ハンドル２は、ハウジング３内にエアー通路２１が設けられ、ハウジング３に着脱可能に構成されている弁座４ａと、弁棒５ａと、始動レバー６と，球状弁７を備えている。
弁座４ａは、外形が円柱状をしていて、弁棒支持孔４１と、エアー供給口４２とを備えている。
【００１６】
弁棒支持孔４１は、弁座４ａの一端でその中心に穿設されていて、後述する弁棒５ａの弁棒本体５１が挿通され弁棒本体５１をその中心軸方向へスライド自在に支持するようになっている。
エアー供給口４２は、弁座４ａの他端部に設けられ、弁棒本体５１より大径で、球状弁７の直径より小径になっている。
【００１７】
また、弁座４ａは、エアー供給口４２から球状弁７側に向かって徐々に拡経し、球状弁７をエアー供給口４２の閉鎖位置にガイドするガイド部４０を有し、側面に、エアー通路２１に連通する連通孔４３が穿設されている。
【００１８】
弁棒５ａは、弁棒本体５１と、操作突部５２とを備えている。弁棒本体５１は、その中心軸ＣＬ上にエアー供給口４２を閉鎖状態の球状弁７の中心Ｏが来るように、弁棒支持孔４１にスライド自在に支持されているとともに、その後端５１ａが球面状に加工されている。
一方、操作突部５２は、弁棒本体５１の球状弁７側の端部からテーパ状に突出するように設けられ、その先端が弁棒本体５１の中心軸ＣＬからずれた位置で閉鎖状態の球状弁７に当接しているとともに、操作突部５２の先端は、球状弁７の表面が傷付かないようにアール形状にコーナー部が面取りされている。
【００１９】
球状弁７は、操作ハンドル２のハウジング３内に設けられたコイルバネ８およびエアー圧によって弁座４ａ方向に常に付勢され、弁棒５ａによる押圧を受けない場合、弁受け部４２ａに当接してエアー供給口４２を閉鎖状態にするようになっている。
コイルバネ８は、エアーコンプレッサなどのエアー供給源からのホース（図示せず）が接続される孔開きプラグ９を操作ハンドル２のハウジング３に設けられたねじ孔にねじ込むことによってハウジング３内で球状弁７を付勢状態に保持している。
【００２０】
始動レバー６は、レバー本体６１と、弁棒押圧部６２とを備え、レバー本体６１が操作ハンドル２のハウジング３の側面に設けられた開口から外部に露出し、弁棒押圧部６２がハウジング３内に臨んだ状態で、軸６３を中心に回動自在にハウジング３に支持されている。
また、弁棒押圧部６２は、弁棒５ａの後端５１ａに当接された状態になっていて、レバー本体６１がハウジング３側に押し込まれると、弁棒５ａの後端５１ａを押圧しながら球状弁７方向に回動して、弁棒５ａを球状弁７方向にスライドさせるようになっている。
【００２１】
このインパクトレンチＡは、以上のようになっており、図１および図２に示すように始動レバー６の始動時には、球状弁７にエアー供給源から送られてくるエアー圧とコイルバネ８の付勢力の合計である押し上げ力Ｗ１が弁棒本体５１の中心軸方向にかかっている。そして、始動レバー６を操作してエアー供給口４２の開放状態にする際に、弁棒５ａの操作突部５２の先端が球状弁７の弁棒本体５１の中心線ＣＬからずれた位置を押すので、球状弁７がＳ点を支点として下方に押し下げられる。したがって、「てこの原理」によって、押し下げ力Ｗ２は、押し上げ力Ｗ１のａ／ｂ倍以上あれば、球状弁７を押し下げることができる。すなわち、ａ＜ｂ、１＞ａ／ｂであるので、始動レバー６を従来のエアーツールより小さな力で操作することができる。
また、弁棒５ａのみの改造で済むため、コストがかからない上、ハウジング３に弁座４ａを組み込む際に位置合わせが不要であるので組み立て作業性がよい。
【００２２】
図４は、本発明にかかるエアーツールの第２の実施の形態をあらわしている。
図４に示すように、このエアーツールとしてのインパクトレンチＢは、エアー供給口４５およびその弁受け部４５ａがハウジング３に一体に設けられ、弁棒本体５１が弁棒支持孔４４を備えた円筒状の弁受け金具４ｂに支持されている以外は、上記のインパクトレンチと同様になっている。
【００２３】
図５は、本発明にかかるエアーツールに使用される弁棒の他の実施の形態をあらわしている。
すなわち、図５（ａ）の弁棒５ｂは、円柱状の弁棒本体５３と、この弁棒本体５３の一端面の弁棒本体５３の中心軸とずれた位置から、円柱状に突出する弁棒本体５３より小径の操作突部５４とを備える構造になっている。
【００２４】
図５（ｂ）の弁棒５ｃは、円柱状の弁棒本体５５と、この弁棒本体５５の一端面の弁棒本体５５の中心軸とずれた位置から階段状に突出する断面半弧状をした操作突部５６とを備える構造になっている。
図５（ｃ）の弁棒５ｄは、円柱状の弁棒本体５７と、この弁棒本体５７の一端に連接された拡径部５８とを備え、この拡径部５８の先端に弁棒５ａと同様の形状をした操作突部５９が設けられている。
【００２５】
本発明にかかるエアーツールは、上記の実施の形態に限定されない。たとえば、上記の実施の形態では、付勢手段がコイルバネであったが、たとえば、板バネ、合わせバネ、ゴム弾性体を用いるようにしても構わない。
【図面の簡単な説明】
【００２６】
【図１】本発明にかかるエアーツールの第１の実施の形態をあらわす一部切欠き側面図である。
【図２】図１のエアーツールの操作ハンドル部分のエアー供給口閉鎖状態の断面図である。
【図３】図１のエアーツールの操作ハンドル部分のエアー供給口開放状態の断面図である。
【図４】本発明にかかるエアーツールの第２の実施の形態であって、その操作ハンドル部分のエアー供給口閉鎖状態の断面図である。
【図５】本発明にかかるエアーツールに用いられる弁棒の他の例をあらわす斜視図である。
【図６】従来のエアーツールであって、その操作ハンドル部分のエアー供給口閉鎖状態の断面図である。
【図７】本発明の発明者らが、先に実施しようとしたエアーツールであって、その操作ハンドル部分のエアー供給口閉鎖状態の断面図である。
【符号の説明】
【００２７】
Ａ，Ｂ  インパクトレンチ（エアーツール）
ＣＬ  中心軸
Ｏ  中心
１  レンチ本体（エアーツール本体）
２  操作ハンドル
５ａ，５ｂ，５ｃ，５ｄ  弁棒
５１  弁棒本体
５２，５４，５６，５９  操作突部
６  始動レバー
７  球状弁
８  コイルバネ（付勢手段）
４２，４５  エアー供給口
【図１】
2005212082.tif 000003
【図２】
2005212082.tif 000004
【図３】
2005212082.tif 000005
【図４】
2005212082.tif 000006
【図５】
2005212082.tif 000007
【図６】
2005212082.tif 000008
【図７】
2005212082.tif 000009